(57)【特許請求の範囲】
【請求項１】
収納用の空間を取り囲む複数の外装部と、前記空間内に配置された第１緩衝部と、前記複数の外装部のいずれか１つである第１外装部に第１の折り目を介してつながっている第２緩衝部と、前記複数の外装部のうち前記第１外装部に隣接する２つの外装部のいずれか１つである第２外装部に第２の折り目を介してつながっているとともに、前記第２緩衝部に第３の折り目を介してつながっている第３緩衝部と、前記複数の外装部のそれぞれにつながっている底部と、前記複数の外装部のうち前記第１外装部に対向する第３外装部の前記底部につながっている側とは反対側につながっている第４緩衝部と、前記第２外装部の前記底部につながっている側とは反対側につながり、前記底部から前記第４緩衝部と同じ距離離れたフラップ部とを有し、前記第２緩衝部及び前記第３緩衝部が前記空間内に折り込まれた状態で前記第２緩衝部及び前記第３緩衝部が前記第１緩衝部と前記第１外装部との間に介在している包装箱と、
前記空間内で、前記第１緩衝部によって前記第２緩衝部及び前記第３緩衝部とは隔てられた位置に収納された物品と
を備え、
前記第４緩衝部に、前記フラップ部との干渉を避けるための切り欠きが設けられている包装箱入り物品。
【請求項２】
前記包装箱は、前記複数の外装部のうち前記第１外装部に隣接する２つの外装部のそれぞれに対して前記第２緩衝部及び前記第３緩衝部を有する請求項１に記載の包装箱入り物品。
【請求項３】
前記第１緩衝部は、前記第４緩衝部の前記第３外装部につながっている側とは反対側につながっている請求項１又は２に記載の包装箱入り物品。
【請求項４】
前記包装箱は、前記第１外装部の前記底部につながっている側とは反対側につながっている蓋部と、前記蓋部の前記第１外装部につながっている側とは反対側につながっている差し込み片とをさらに有し、
前記第４緩衝部の前記第３外装部につながっている端部には、前記差し込み片を差し込むためのスリットが設けられている請求項３に記載の包装箱入り物品。
【請求項５】
前記差し込み片の最大幅寸法は、前記スリットの長さ寸法よりも大きい請求項４に記載の包装箱入り物品。
【請求項６】
前記差し込み片の根元の両側には、前記スリットの長さ寸法以上互いに離れた切れ込みが設けられている請求項４又は５に記載の包装箱入り物品。
【請求項７】
前記包装箱は、前記第３外装部に第４の折り目を介してつながっている第５緩衝部と、前記複数の外装部のうち前記第３外装部に隣接する２つの外装部のいずれか１つである第４外装部に第５の折り目を介してつながっているとともに、前記第５緩衝部に第６の折り目を介してつながっている第６緩衝部とをさらに有する請求項３から６のいずれか１項に記載の包装箱入り物品。
【請求項８】
前記包装箱は、前記複数の外装部のうち前記第３外装部に隣接する２つの外装部のそれぞれに対して前記第５緩衝部及び前記第６緩衝部を有する請求項７に記載の包装箱入り物品。
【請求項９】
前記包装箱は、前記第１緩衝部につながり、前記第２外装部に重なっている第７緩衝部をさらに有する請求項１又は２に記載の包装箱入り物品。
【請求項１０】
前記第１緩衝部は、前記第４緩衝部の前記第３外装部につながっている側とは反対側につながり、
前記第７緩衝部は、前記フラップ部に引っ掛けられている請求項９に記載の包装箱入り物品。
【請求項１１】
前記第１緩衝部は、前記第４緩衝部の前記第３外装部につながっている側とは反対側につながり、
前記第７緩衝部は、前記フラップ部と前記底部とに挟まれている請求項９に記載の包装箱入り物品。
【請求項１２】
前記第１緩衝部の前記第４緩衝部につながっている側とは反対側の端部には、切り欠きが設けられている請求項１０又は１１に記載の包装箱入り物品。
【請求項１３】
前記第１緩衝部には、貫通孔が設けられている請求項１０から１２のいずれか１項に記載の包装箱入り物品。
【請求項１４】
前記貫通孔は、前記第１緩衝部の前記第７緩衝部につながっている端部に設けられている請求項１３に記載の包装箱入り物品。
【請求項１５】
収納用の空間を取り囲む複数の外装部と、前記空間内に配置された第１緩衝部と、前記複数の外装部のいずれか１つである第１外装部に第１の折り目を介してつながっている第２緩衝部と、前記複数の外装部のうち前記第１外装部に隣接する２つの外装部のいずれか１つである第２外装部に第２の折り目を介してつながっているとともに、前記第２緩衝部に第３の折り目を介してつながっている第３緩衝部とを有し、前記第２緩衝部及び前記第３緩衝部が前記空間内に折り込まれた状態で前記第２緩衝部及び前記第３緩衝部が前記第１緩衝部と前記第１外装部との間に介在している包装箱と、
前記空間内で、前記第１緩衝部によって前記第２緩衝部及び前記第３緩衝部とは隔てられた位置に収納された物品と
を備え、
前記包装箱は、
前記複数の外装部のそれぞれにつながっている底部と、前記複数の外装部のうち前記第１外装部に対向する第３外装部の前記底部につながっている側とは反対側につながっている第４緩衝部と、
前記第２外装部の前記底部につながっている側とは反対側につながり、前記底部から前記第４緩衝部と同じ距離離れたフラップ部と、
前記第１緩衝部につながり、前記第２外装部に重なっている第７緩衝部と
をさらに有し、
前記第１緩衝部は、前記第４緩衝部の前記第３外装部につながっている側とは反対側につながり、
前記第７緩衝部は、前記フラップ部に引っ掛けられており、
前記包装箱は、前記フラップ部の一部が折り畳まれた状態で前記フラップ部の一部が前記第７緩衝部と前記第２外装部との間に介在している包装箱入り物品。
【請求項１６】
収納用の空間を取り囲む複数の外装部と、前記空間内に配置された第１緩衝部と、前記複数の外装部のいずれか１つである第１外装部に第１の折り目を介してつながっている第２緩衝部と、前記複数の外装部のうち前記第１外装部に隣接する２つの外装部のいずれか１つである第２外装部に第２の折り目を介してつながっているとともに、前記第２緩衝部に第３の折り目を介してつながっている第３緩衝部とを有し、前記第２緩衝部及び前記第３緩衝部が前記空間内に折り込まれた状態で前記第２緩衝部及び前記第３緩衝部が前記第１緩衝部と前記第１外装部との間に介在している包装箱と、
前記空間内で、前記第１緩衝部によって前記第２緩衝部及び前記第３緩衝部とは隔てられた位置に収納された物品と
を備え、
前記包装箱は、前記第１緩衝部につながり、前記第２外装部に重なっている第７緩衝部をさらに有し、
前記包装箱は、前記第７緩衝部に第７の折り目を介してつながっている第８緩衝部をさらに有し、前記第８緩衝部が前記第７緩衝部と前記第２外装部との間に折り込まれた状態で前記第８緩衝部が前記第７緩衝部と前記第２外装部との間に介在している包装箱入り物品。
【請求項１７】
前記包装箱は、前記複数の外装部のうち前記第１外装部に隣接する２つの外装部のそれぞれに対して前記第７緩衝部を有する請求項９から１６のいずれか１項に記載の包装箱入り物品。
【請求項１８】
前記包装箱は、前記複数の外装部のそれぞれにつながっている底部と、前記第１外装部の前記底部につながっている側とは反対側につながっている蓋部とをさらに有し、
前記蓋部には、貫通孔が設けられている請求項１又は２に記載の包装箱入り物品。
【請求項１９】
前記空間内で、前記第１緩衝部と前記第３緩衝部との間に挟まれて収納された付属品
をさらに備える請求項１から１８のいずれか１項に記載の包装箱入り物品。
【請求項２０】
前記第１外装部には、貫通孔が設けられている請求項１９に記載の包装箱入り物品。
【請求項２１】
前記物品は、照明ユニットである請求項１から２０のいずれか１項に記載の包装箱入り物品。
【請求項２２】
収納用の空間を取り囲む複数の外装部と、前記空間内に配置された第１緩衝部と、前記複数の外装部のいずれか１つである第１外装部に第１の折り目を介してつながっている第２緩衝部と、前記複数の外装部のうち前記第１外装部に隣接する２つの外装部のいずれか１つである第２外装部に第２の折り目を介してつながっているとともに、前記第２緩衝部に第３の折り目を介してつながっている第３緩衝部と、前記複数の外装部のそれぞれにつながっている底部と、前記複数の外装部のうち前記第１外装部に対向する第３外装部の前記底部につながっている側とは反対側につながっている第４緩衝部と、前記第２外装部の前記底部につながっている側とは反対側につながり、前記底部から前記第４緩衝部と同じ距離離れたフラップ部とを有し、前記第４緩衝部に前記フラップ部との干渉を避けるための切り欠きが設けられている包装箱を組み立てる際に、前記第２緩衝部及び前記第３緩衝部を前記空間内に折り込んで前記第２緩衝部及び前記第３緩衝部を前記第１緩衝部と前記第１外装部との間に介在させ、前記フラップ部を前記切り欠きを介して折り畳み、
前記空間内で、前記第１緩衝部によって前記第２緩衝部及び前記第３緩衝部とは隔てられた位置に物品を収納する包装方法。
【発明の詳細な説明】
【技術分野】
【０００１】
本発明は、包装箱入り物品及び包装方法に関するものである。
【背景技術】
【０００２】
従来、上下方向の衝撃に対して収容物を保護する緩衝機能と、収容物同士の衝突に対する保護機能との両方を備える緩衝中仕切り付き包装用箱がある（例えば、特許文献１参照）。
【先行技術文献】
【特許文献】
【０００３】
【特許文献１】特開２０１５−１３６７２号公報
【発明の概要】
【発明が解決しようとする課題】
【０００４】
従来の包装用箱では、緩衝底面部と底フラップとの間に、収容物が配置されない緩衝用の大きな空間が形成されているので、収納効率が低下する。また、包装用箱の包装容積が大きくなり、物流効率も低下する。
【０００５】
従来の包装用箱は、収容物のほかに付属物を収納することができるが、収容物と付属物との接触を許容する構造になっているので、収容物と付属物とが衝突して損傷するおそれがある。
【０００６】
従来の包装用箱は、組み立て作業において糊付けを必要とする構造になっているので、組み立て作業の効率が低下する。また、用済みとなった後、包装用箱を廃却する際にも分解作業の手間を要する。
【０００７】
本発明は、包装箱の緩衝機能を保ちつつ、収納効率を高めることを目的とする。
【課題を解決するための手段】
【０００８】
本発明の一態様に係る包装箱入り物品は、
収納用の空間を取り囲む複数の外装部と、前記空間内に配置された第１緩衝部と、前記複数の外装部のいずれか１つである第１外装部に第１の折り目を介してつながっている第２緩衝部と、前記複数の外装部のうち前記第１外装部に隣接する２つの外装部のいずれか１つである第２外装部に第２の折り目を介してつながっているとともに、前記第２緩衝部に第３の折り目を介してつながっている第３緩衝部とを有し、前記第２緩衝部及び前記第３緩衝部が前記空間内に折り込まれた状態で前記第２緩衝部及び前記第３緩衝部が前記第１緩衝部と前記第１外装部との間に介在している包装箱と、
前記空間内で、前記第１緩衝部によって前記第２緩衝部及び前記第３緩衝部とは隔てられた位置に収納された物品とを備える。
【発明の効果】
【０００９】
本発明では、包装箱が第１緩衝部、第２緩衝部及び第３緩衝部を有し、第２緩衝部及び第３緩衝部が収納用の空間内に折り込まれた状態で第１緩衝部と複数の外装部のいずれか１つである第１外装部との間に介在している。第１緩衝部と第１外装部との間に緩衝用の大きな空間は必要ないため、本発明によれば、包装箱の緩衝機能を保ちつつ、収納効率を高めることが可能となる。
【図面の簡単な説明】
【００１０】
【図１】実施の形態１に係る包装箱入り物品の斜視図。
【図２】実施の形態１に係る包装箱入り物品の分解斜視図。
【図３】実施の形態１に係る包装箱入り物品のＡ−Ａ断面図。
【図４】実施の形態１に係る包装箱入り物品のＢ−Ｂ断面図。
【図５】実施の形態１に係る包装箱の展開図。
【図６】実施の形態１に係る包装箱の展開図。
【図７】実施の形態１に係る包装箱の組み立て手順を示す図。
【図８】実施の形態１に係る包装箱の組み立て手順を示す図。
【図９】実施の形態１に係る包装箱入り物品のＣ−Ｃ断面図。
【図１０】実施の形態１に係る照明装置の斜視図。
【図１１】実施の形態１に係る照明装置の斜視図。
【図１２】実施の形態１に係る照明装置の設置例を示す図。
【図１３】実施の形態２に係る包装箱の斜視図。
【図１４】実施の形態２に係る包装箱入り物品のＡ−Ａ断面図。
【図１５】実施の形態２に係る包装箱の展開図。
【図１６】実施の形態２に係る包装箱の展開図。
【図１７】実施の形態２に係る包装箱の斜視図。
【図１８】実施の形態２の変形例に係る包装箱の斜視図。
【図１９】実施の形態２の変形例に係る包装箱入り物品のＡ−Ａ断面図。
【図２０】実施の形態２の変形例に係る包装箱の展開図。
【図２１】実施の形態２の変形例に係る包装箱の展開図。
【図２２】実施の形態３に係る包装箱の斜視図。
【図２３】実施の形態３に係る包装箱の展開図。
【図２４】実施の形態３に係る包装箱の展開図。
【図２５】実施の形態３の変形例に係る包装箱の斜視図。
【図２６】実施の形態３の変形例に係る包装箱の展開図。
【図２７】実施の形態３の変形例に係る包装箱の展開図。
【図２８】実施の形態３の別の変形例に係る包装箱の斜視図。
【図２９】実施の形態４に係る包装箱入り物品の斜視図。
【図３０】実施の形態４に係る包装箱入り物品の斜視図。
【図３１】実施の形態４に係る包装箱の展開図。
【図３２】実施の形態４に係る包装箱の展開図。
【図３３】実施の形態５に係る包装箱の斜視図。
【図３４】実施の形態５に係る包装箱入り物品のＡ−Ａ断面図。
【図３５】実施の形態５に係る包装箱の展開図。
【図３６】実施の形態５に係る包装箱の展開図。
【発明を実施するための形態】
【００１１】
以下、本発明の実施の形態について、図を用いて説明する。なお、各図中、同一又は相当する部分には、同一符号を付している。実施の形態の説明において、同一又は相当する部分については、その説明を適宜省略又は簡略化する。各図中、前後方向をＸ、左右方向をＹ、上下方向をＺで表しているが、実施の形態の説明において、「上」、「下」、「左」、「右」、「前」、「後」、「表」、「裏」といった配置や向き等は、説明の便宜上、そのように記しているだけであって、装置、器具、部品等の配置や向き等を限定するものではない。装置、器具、部品等の構成について、その材質、形状、大きさ等は、本発明の範囲内で適宜変更することができる。
【００１２】
実施の形態１．
＊＊＊構成の説明＊＊＊
図１、図２、図３及び図４を参照して、本実施の形態に係る包装箱入り物品１００の構成を説明する。図１は、包装箱入り物品１００を斜め上方から見た図である。図２は、包装箱入り物品１００を分解した図である。図３は、図１に示したＡ−Ａ線を中心線とする包装箱入り物品１００の横断面を示す図である。図４は、図１に示したＢ−Ｂ線を中心線とする包装箱入り物品１００の縦断面を示す図である。
【００１３】
包装箱入り物品１００は、物品の一種である照明ユニット３００と、ネジ又はリベット等の固定具、或いは、厚手の冊子等である付属品４００と、照明ユニット３００及び付属品４００を収納する包装箱５００とを備える。なお、包装箱５００には、照明ユニット３００に代えて、照明コントローラ等、他の機器、或いは、その他の物品が収納されてもよい。また、包装箱５００には、付属品４００が収納されなくてもよい。即ち、包装箱入り物品１００は、照明ユニット３００以外の物品を備えていてもよく、また、付属品４００を備えていなくてもよい。
【００１４】
図１から図４のほか、図５及び図６を参照して、包装箱５００の構成を説明する。図５は、包装箱５００を構成する板紙のオモテ面を示す図である。図６は、包装箱５００を構成する板紙のウラ面を示す図である。
【００１５】
包装箱５００は、外観意匠部である外装材として、底部５０１、第１外装部５０３、第２外装部５０４、第３外装部５０５、第４外装部５０６、蓋部５０８を有する。また、包装箱５００は、外装材を支持又は固定するための補助部材として、差し込み片５０９、フラップ部６１５，６１６を有する。さらに、包装箱５００は、衝撃緩和部である緩衝材として、第１緩衝部６１０、第２緩衝部６０６，６０９、第３緩衝部６０２，６０５、第４緩衝部６１２、第５緩衝部６０７，６０８、第６緩衝部６０３，６０４を有する。本実施の形態において、包装箱５００は、図５に示すオモテ面が外側を向き、図６に示すウラ面が内側を向くように１枚の板紙を折り曲げて組み立てられている。即ち、包装箱５００の外装材と補助部材と緩衝材は、一体に形成されている。
【００１６】
なお、本実施の形態では、包装箱５００が、収納用の空間５２０を取り囲む複数の外装部として、第１外装部５０３、第２外装部５０４、第３外装部５０５、第４外装部５０６という４つの外装部を有するが、外装部の数は適宜変更することができる。即ち、包装箱５００の形状は、直方体に限らず、五角柱、六角柱といった他の多角柱でもよい。また、本実施の形態では、包装箱５００の底部５０１及び蓋部５０８がいずれも平板状であるが、底部５０１及び蓋部５０８の形状は適宜変更することができる。即ち、包装箱５００の形状は、多角柱にも限られない。
【００１７】
底部５０１は、４つの外装部のそれぞれにつながっている。即ち、底部５０１は、第１外装部５０３、第２外装部５０４、第３外装部５０５、第４外装部５０６のそれぞれにつながっている。底部５０１は、第１外装部５０３及び第３外装部５０５のそれぞれに折り目７１１を介してつながっている。それぞれの折り目７１１には、内側罫線加工が施されている。内側罫線加工とは、板紙のウラ面に施される折罫加工のことである。底部５０１は、第２外装部５０４及び第４外装部５０６のそれぞれに折り目７１２を介してつながっている。それぞれの折り目７１２には、折り目７１２の延びる方向に沿って半切加工と内側罫線加工とが交互に施されており、折り目７１２の端部には、罫線加工が施されている。半切加工とは、板紙のウラ面から途中まで切断又は型抜きするカット加工、即ち、ハーフカット加工のことである。半切加工では、板紙のオモテ面にはカット加工が施されない。底部５０１は、包装箱５００の下面を形成している。
【００１８】
なお、図６において、底部５０１に記した線は、照明ユニット３００の配置を模式的に表したものであるが、照明ユニット３００の向きは、図６に示したものに限定されない。照明ユニット３００は、上下逆向きに配置されてもよい。
【００１９】
第１外装部５０３は、４つの外装部のいずれか１つである。第１外装部５０３は、底部５０１及び蓋部５０８につながっている。第１外装部５０３は、包装箱５００の背面を形成している。
【００２０】
第２外装部５０４は、４つの外装部のうち第１外装部５０３に隣接する２つの外装部のいずれか１つである。第２外装部５０４は、４つの外装部のうち第３外装部５０５に隣接する２つの外装部のいずれか１つでもある。第２外装部５０４は、底部５０１につながっている。第２外装部５０４は、包装箱５００の左側面を形成している。
【００２１】
第３外装部５０５は、４つの外装部のうち第１外装部５０３に対向する外装部である。第３外装部５０５は、底部５０１につながっている。第３外装部５０５は、包装箱５００の正面を形成している。
【００２２】
第４外装部５０６は、４つの外装部のうち第１外装部５０３に隣接する２つの外装部のいずれか１つである。即ち、第４外装部５０６は、第１外装部５０３に隣接する２つの外装部のうち、第２外装部５０４ではないほうの外装部である。第４外装部５０６は、４つの外装部のうち第３外装部５０５に隣接する２つの外装部のいずれか１つでもある。即ち、第４外装部５０６は、第３外装部５０５に隣接する２つの外装部のうち、第２外装部５０４ではないほうの外装部である。第４外装部５０６は、底部５０１につながっている。第４外装部５０６は、包装箱５００の右側面を形成している。
【００２３】
蓋部５０８は、第１外装部５０３につながっている。具体的には、蓋部５０８は、第１外装部５０３の底部５０１につながっている側とは反対側につながっている。蓋部５０８は、第１外装部５０３に折り目７１３を介してつながっている。この折り目７１３には、内側罫線加工が施されている。蓋部５０８は、包装箱５００の上面を形成している。
【００２４】
差し込み片５０９は、蓋部５０８につながっている。具体的には、差し込み片５０９は、蓋部５０８の第１外装部５０３につながっている側とは反対側につながっている。差し込み片５０９は、蓋部５０８に折り目７１４を介してつながっている。この折り目７１４には、内側罫線加工が施されている。差し込み片５０９の根元の両側には、切れ込み５１０，５１１が設けられている。
【００２５】
フラップ部６１５，６１６は、４つの外装部のうち第１外装部５０３に隣接する２つの外装部につながっている。具体的には、フラップ部６１５は、第２外装部５０４の底部５０１につながっている側とは反対側につながっている。フラップ部６１６は、第４外装部５０６の底部５０１につながっている側とは反対側につながっている。フラップ部６１５，６１６は、第２外装部５０４及び第４外装部５０６に折り目７１５を介してつながっている。それぞれの折り目７１５には、折り目７１５の延びる方向に沿って半切加工と内側罫線加工とが交互に施されており、折り目７１５の端部には、罫線加工が施されている。
【００２６】
第１緩衝部６１０は、４つの外装部によって取り囲まれた空間５２０内に配置されている。第１緩衝部６１０は、第４緩衝部６１２の第３外装部５０５につながっている側とは反対側につながっている。第１緩衝部６１０は、第４緩衝部６１２に折り目７２１を介してつながっている。この折り目７２１には、内側罫線加工が施されている。
【００２７】
第２緩衝部６０６，６０９は、第１外装部５０３に第１の折り目７０１を介してつながっている。第１の折り目７０１には、第１の折り目７０１の延びる方向に沿って全切加工と内側罫線加工とが交互に施されており、第１の折り目７０１の端部には、罫線加工が施されている。全切加工とは、板紙のウラ面からオモテ面まで切断又は型抜きするカット加工、即ち、フルカット加工のことである。
【００２８】
第３緩衝部６０２，６０５は、４つの外装部のうち第１外装部５０３に隣接する２つの外装部に第２の折り目７０２を介してつながっているとともに、第２緩衝部６０６，６０９に第３の折り目７０３を介してつながっている。具体的には、第３緩衝部６０２は、第２外装部５０４に第２の折り目７０２を介してつながっているとともに、第２緩衝部６０６に第３の折り目７０３を介してつながっている。第３緩衝部６０５は、第４外装部５０６に第２の折り目７０２を介してつながっているとともに、第２緩衝部６０９に第３の折り目７０３を介してつながっている。第２の折り目７０２には、第２の折り目７０２の延びる方向に沿って半切加工と内側罫線加工とが交互に施されており、第２の折り目７０２の端部には、罫線加工が施されている。第３の折り目７０３には、半切加工が施されている。
【００２９】
本実施の形態では、第２緩衝部６０６，６０９及び第３緩衝部６０２，６０５が空間５２０内に折り込まれた状態で、第２緩衝部６０６，６０９及び第３緩衝部６０２，６０５が第１緩衝部６１０と第１外装部５０３との間に介在している。そして、照明ユニット３００が、空間５２０内で、第１緩衝部６１０によって第２緩衝部６０６，６０９及び第３緩衝部６０２，６０５とは隔てられた位置に収納されている。
【００３０】
また、本実施の形態では、付属品４００が、空間５２０内で、第１緩衝部６１０と第３緩衝部６０２，６０５との間に挟まれて収納されている。第１緩衝部６１０は、照明ユニット３００と付属品４００との間に配置されることで、照明ユニット３００と付属品４００との干渉を防いでいる。
【００３１】
第４緩衝部６１２は、第３外装部５０５の底部５０１につながっている側とは反対側につながっている。第４緩衝部６１２は、第３外装部５０５に折り目７２２を介してつながっている。この折り目７２２には、内側罫線加工が施されている。
【００３２】
本実施の形態では、フラップ部６１５，６１６が、底部５０１から第４緩衝部６１２と同じ距離離れている。そして、第１緩衝部６１０が、第４緩衝部６１２の第３外装部５０５につながっている側とは反対側につながっている。第４緩衝部６１２には、フラップ部６１５，６１６との干渉を避けるための切り欠き６１３，６１４が設けられている。
【００３３】
第４緩衝部６１２の第３外装部５０５につながっている端部には、差し込み片５０９を差し込むためのスリット８００が設けられている。具体的には、スリット８００は、折り目７２２に挟まれるように折り目７２２が延びる方向に沿って設けられている。
【００３４】
本実施の形態では、差し込み片５０９の最大幅寸法Ｌ１が、スリット８００の長さ寸法Ｌ３よりも大きい。また、差し込み片５０９の両側の切れ込み５１０，５１１が、スリット８００の長さ寸法Ｌ３以上互いに離れている。即ち、切れ込み５１０，５１１間の距離Ｌ２が、スリット８００の長さ寸法Ｌ３以上である。
【００３５】
第５緩衝部６０７，６０８は、第３外装部５０５に第４の折り目７０４を介してつながっている。第４の折り目７０４には、第１の折り目７０１と同じように、第４の折り目７０４の延びる方向に沿って全切加工と内側罫線加工とが交互に施されており、第４の折り目７０４の端部には、罫線加工が施されている。
【００３６】
第６緩衝部６０３，６０４は、４つの外装部のうち第３外装部５０５に隣接する２つの外装部に第５の折り目７０５を介してつながっているとともに、第５緩衝部６０７，６０８に第６の折り目７０６を介してつながっている。具体的には、第６緩衝部６０３は、第２外装部５０４に第５の折り目７０５を介してつながっているとともに、第５緩衝部６０７に第６の折り目７０６を介してつながっている。第６緩衝部６０４は、第４外装部５０６に第５の折り目７０５を介してつながっているとともに、第５緩衝部６０８に第６の折り目７０６を介してつながっている。第５の折り目７０５には、第２の折り目７０２と同じように、第５の折り目７０５の延びる方向に沿って半切加工と内側罫線加工とが交互に施されており、第５の折り目７０５の端部には、罫線加工が施されている。第６の折り目７０６には、第３の折り目７０３と同じように、半切加工が施されている。
【００３７】
ここで、図７及び図８を参照して、包装箱５００に照明ユニット３００及び付属品４００を収納しながら、包装箱５００を組み立てる手順を説明する。以下の手順は、本実施の形態に係る包装方法に相当する。
（１）板紙のウラ面を上にした状態で、底部５０１に照明ユニット３００を配置する。なお、図７では、照明ユニット３００を省略している。
（２）底部５０１と第２外装部５０４及び第４外装部５０６との間の折り目７１２で板紙を折り曲げて、第２外装部５０４及び第４外装部５０６を起立させる。
（３）第２外装部５０４につながる第３緩衝部６０２と第６緩衝部６０３、及び、第４外装部５０６につながる第６緩衝部６０４と第３緩衝部６０５をそれぞれ掴むようにして内側に折り曲げる。このとき、第３緩衝部６０２につながる第２緩衝部６０６と第３緩衝部６０５につながる第２緩衝部６０９とが、図７の矢印Ｓ１の方向に第１外装部５０３を起立させる。また、第６緩衝部６０３につながる第５緩衝部６０７と第６緩衝部６０４につながる第５緩衝部６０８とが、図７の矢印Ｓ２の方向に第３外装部５０５を起立させる。（４）折り目７２１，７２２を折り曲げながら、第１緩衝部６１０を第３緩衝部６０２と第３緩衝部６０５との内側に差し込む。
（５）付属品４００を第３緩衝部６０２及び第３緩衝部６０５と第１緩衝部６１０との間に挟み込むように配置する。
（６）折り目７１３，７１４を折り曲げ、付属品４００を覆いながら蓋部５０８を閉じ、差し込み片５０９を、図８の矢印Ｓ３の方向に沿ってスリット８００に差し込む。
【００３８】
本実施の形態では、図９に示すように、スリット８００に差し込まれた差し込み片５０９が、スリット８００に係止されて外れないので、粘着テープ等の固定部材が不要となる。前述したように、差し込み片５０９の最大幅寸法Ｌ１がスリット８００の長さ寸法Ｌ３より大きくなっているため、粘着テープ等の固定部材を用いることなく蓋部５０８を確実に閉じることができる。また、切れ込み５１０，５１１の両終端間の最小寸法Ｌ２がスリット８００の長さ寸法Ｌ３以上になっているため、粘着テープ等の固定部材を用いることなく蓋部５０８をより確実に閉じることができる。なお、図９は、図１に示したＣ−Ｃ線を中心線とする包装箱入り物品１００の縦断面の一部を示す図である。
【００３９】
図２のほか、図１０、図１１及び図１２を参照して、照明ユニット３００を備える照明装置２００の構成を説明する。
【００４０】
照明ユニット３００は、枠体２１０に取り付けられ、照明装置２００として、埋め込み穴２０２に埋め込まれて使用される。
【００４１】
照明装置２００は、枠体２１０と、照明ユニット３００とを備える。枠体２１０は、埋め込み穴２０２が設けられた天井２０１に取り付けられる。照明ユニット３００は、枠体２１０に着脱可能に取り付けられる。なお、枠体２１０は、天井２０１以外の被取り付け部に取り付けられてもよい。即ち、照明装置２００は、天井２０１以外の被取り付け部に取り付けられて使用されてもよい。
【００４２】
枠体２１０は、ツバ部２１１と、立ち上がり部２１２と、傾斜部２１４とを備える。ツバ部２１１は、天井２０１に形成される円形の埋め込み穴２０２の縁部に当接する。立ち上がり部２１２は、ツバ部２１１から垂直方向に立ち上がる。立ち上がり部２１２には、３つの取り付けバネ２２０が取り付けられる。傾斜部２１４は、ツバ部２１１の内側に斜め方向に形成され、中央部に円形状の開口部２１５を有する。
【００４３】
ツバ部２１１は、リング状に形成されている。具体的には、ツバ部２１１は、天井２０１に設けられた埋め込み穴２０２の径よりも外径が大きく内径が小さくなるように環状に形成されている。
【００４４】
立ち上がり部２１２は、円周方向に連続して形成される。立ち上がり部２１２は、３つの取り付けバネ保持部２１３を有する。取り付けバネ保持部２１３は、立ち上がり部２１２の外周の３箇所に形成される。
【００４５】
取り付けバネ２２０は、長手状かつ平板状の金属板が長手方向の少なくとも１箇所で鋭角に折り曲げられて形成される板バネである。取り付けバネ２２０の長手方向の一端は、取り付けバネ保持部２１３に取り付けられる。取り付けバネ２２０の長手方向の他端は、天井２０１に設けられた埋め込み穴２０２に引っ掛けられるように屈曲している。この屈曲した部分によって、照明装置２００を天井２０１に仮止めしたり、照明装置２００の落下を防止したりすることができる。
【００４６】
照明ユニット３００は、光源ユニット３１０と、電源ユニット３２０とを備える。
【００４７】
光源ユニット３１０は、図示していない光源モジュールと、固定カバー３１１と、光透過性カバー３１２とを備える。
【００４８】
固定カバー３１１は、光源モジュールを固定する。光透過性カバー３１２は、透光性を有する樹脂で形成されている。光透過性カバー３１２は、固定カバー３１１に取り付けられ、光源モジュールの発光部を覆う。
【００４９】
図示していないが、光源モジュールは、表面実装型（ＳＭＤ）の複数のＬＥＤと、これら複数のＬＥＤが実装される基板とを有する。なお、ＬＥＤは、表面実装型に限らず、チップオンボード（ＣＯＢ）のＬＥＤ等、他の種類のＬＥＤであってもよい。また、ＬＥＤに代えて、有機ＥＬ又はレーザといった他の種類の光源が用いられてもよい。
【００５０】
電源ユニット３２０は、電源収納ケース３２１と、図示していない電源回路部と、金属プレート３２２と、電源端子台３２３と、放熱フィン３２４とを備える。
【００５１】
電源収納ケース３２１は、光源ユニット３１０に連結される有底の円筒形状のケースである。電源回路部は、電源収納ケース３２１に収納され、光源モジュールに電力を供給する。金属プレート３２２は、電源収納ケース３２１の開口部分を塞ぐように電源収納ケース３２１に取り付けられる。電源端子台３２３は、金属プレート３２２に取り付けられ、電源回路部と電線を介して電気的に接続される。放熱フィン３２４は、電源収納ケース３２１の外周部に取り付けられる。
【００５２】
なお、光源ユニット３１０及び電源ユニット３２０の構成は、適宜変更することができる。具体例として、照明ユニット３００は、出射される光の光束、光量、輝度といった明るさ、及び、色温度、色調、色度といった色を、外部からの制御に基づいて任意の値に設定できる機能を備えてもよい。外部からの制御は、有線、無線のいずれかの方式を含むものとする。また、電源ユニット３２０は、放熱フィン３２４を備えない軽量かつ小型のものであってもよい。
【００５３】
照明ユニット３００は、光源ユニット３１０及び電源ユニット３２０のいずれかを含まない構成でもよい。照明ユニット３００は、少なくとも照明装置２００を構成するいずれかの要素を含んでいればよい。
【００５４】
本実施の形態では、照明ユニット３００が、拡散ダウンライトである照明装置２００に用いられるが、照明ユニット３００は、スポットライト、或いは、配光角度を任意に設定できる他の種類の照明装置に用いられるものであってもよい。
【００５５】
＊＊＊実施の形態の効果の説明＊＊＊
本実施の形態では、包装箱５００が第１緩衝部６１０、第２緩衝部６０６，６０９及び第３緩衝部６０２，６０５を有する。そして、第２緩衝部６０６，６０９及び第３緩衝部６０２，６０５が収納用の空間５２０内に折り込まれた状態で第１緩衝部６１０と複数の外装部のいずれか１つである第１外装部５０３との間に介在している。第１緩衝部６１０と第１外装部５０３との間に緩衝用の大きな空間は必要ないため、本実施の形態によれば、包装箱５００の緩衝機能を保ちつつ、収納効率を高めることが可能となる。
【００５６】
本実施の形態では、底部５０１につながる４つの外装部が、それぞれ隣接する２つの緩衝部によってつながれているので、組み立て性に優れる。
【００５７】
本実施の形態では、第１緩衝部６１０が照明ユニット３００と付属品４００との間に配置されているため、包装箱５００の内部後方における照明ユニット３００と付属品４００との干渉を防ぐことができる。また、第４緩衝部６１２が照明ユニット３００と付属品４００との間に配置されているため、包装箱５００の内部上方における照明ユニット３００と付属品４００との干渉を防ぐことができる。したがって、照明ユニット３００と付属品４００とが衝突して損傷するおそれがない。
【００５８】
本実施の形態では、第１緩衝部６１０と第２緩衝部６０６，６０９と第３緩衝部６０２，６０５とが３重に緩衝機能を発揮するため、包装箱入り物品１００の剛性が向上する。
【００５９】
本実施の形態では、第１外装部５０３と第３緩衝部６０２，６０５との間の隙間を、包装箱５００を構成する板紙の厚さ寸法以下にすることができる。また、第３外装部５０５と第６緩衝部６０３，６０４との間の隙間を、包装箱５００を構成する板紙の厚さ寸法以下にすることができる。即ち、第２緩衝部６０６，６０９及び第５緩衝部６０７，６０８は、緩衝機能だけでなく、板紙の厚さ寸法以下の空間を形成するためのスペーサとしての機能を併せ持つ。したがって、緩衝用の大きな空間が不要となり、収納効率が向上する。また、包装箱５００を小型化でき、物流効率も向上する。
【００６０】
第１外装部５０３と第１緩衝部６１０との間で、第２緩衝部６０６，６０９及び第３緩衝部６０２，６０５が存在しない領域は、第１外装部５０３が受けた振動及び衝撃を第１緩衝部６１０に伝えにくくする効果を発揮する。この効果は、特に、前後方向の振動及び衝撃を抑制する効果として発揮される。
【００６１】
本実施の形態では、底部５０１が４つの外装部につながっているので、照明ユニット３００の重み或いは衝撃によって底部５０１が抜け落ちるおそれがない。
【００６２】
＊＊＊他の構成＊＊＊
本実施の形態において、包装箱５００は、４つの外装部のうち第１外装部５０３に隣接する２つの外装部のそれぞれに対して第２緩衝部６０６，６０９及び第３緩衝部６０２，６０５を有するが、第２緩衝部６０６，６０９の一方のみ、及び、第３緩衝部６０２，６０５の一方のみを有していてもよい。
【００６３】
本実施の形態において、包装箱５００は、４つの外装部のうち第３外装部５０５に隣接する２つの外装部のそれぞれに対して第５緩衝部６０７，６０８及び第６緩衝部６０３，６０４を有するが、第５緩衝部６０７，６０８の一方のみ、及び、第６緩衝部６０３，６０４の一方のみを有していてもよい。
【００６４】
包装箱５００は、底部５０１と空間５２０との間に別の緩衝層を有していてもよい。この緩衝層は、４つの外装部と一体に形成されていてもよいし、別個に取り付けられてもよい。
【００６５】
第１の折り目７０１には、破線状の全切加工のみが施されていてもよい。第２の折り目７０２、第５の折り目７０５、折り目７１２，７１５には、破線状の半切加工のみが施されていてもよい。罫線は、板紙のウラ面の裏ライナのみへの裏罫線加工でもよいが、板紙の厚さ寸法等に応じて、板紙のオモテ面の表ライナに表罫線加工が追加されてもよい。
【００６６】
実施の形態２．
本実施の形態について、主に実施の形態１との差異を説明する。
【００６７】
本実施の形態に係る包装箱入り物品１００は、実施の形態１に係る包装箱入り物品１００と同じように、照明ユニット３００と、付属品４００と、包装箱５００とを備える。本実施の形態では、包装箱５００の構成が実施の形態１と異なる。
【００６８】
図１３、図１４、図１５、図１６及び図１７を参照して、包装箱５００の構成を説明する。図１３は、包装箱５００を斜め上方から見た図である。図１４は、図１に示したＡ−Ａ線を中心線とする包装箱入り物品１００の横断面を示す図である。図１５は、包装箱５００を構成する板紙のオモテ面を示す図である。図１６は、包装箱５００を構成する板紙のウラ面を示す図である。図１７は、包装箱５００の一部を示す図である。
【００６９】
本実施の形態において、包装箱５００は、第７緩衝部６１７，６１８をさらに有する。
【００７０】
第７緩衝部６１７，６１８は、第１緩衝部６１０につながり、４つの外装部のうち第１外装部５０３に隣接する２つの外装部に重なっている。具体的には、第７緩衝部６１７は、第１緩衝部６１０に折り目７３１を介してつながり、第２外装部５０４に重なっている。第７緩衝部６１８は、第１緩衝部６１０に折り目７３１を介してつながり、第４外装部５０６に重なっている。それぞれの折り目７３１には、折り目７３１の延びる方向に沿って全切加工と内側罫線加工とが交互に施されており、折り目７３１の端部には、罫線加工が施されている。
【００７１】
第７緩衝部６１７は、フラップ部６１５に引っ掛けられている。このとき、第７緩衝部６１７の係止辺部６１９が底部５０１に当接する。同じように、第７緩衝部６１８は、フラップ部６１６に引っ掛けられている。このとき、第７緩衝部６１８の係止辺部６２０が底部５０１に当接する。即ち、第７緩衝部６１７は、フラップ部６１５と底部５０１とに挟まれており、第７緩衝部６１８は、フラップ部６１６と底部５０１とに挟まれている。
【００７２】
本実施の形態では、スリット８００から差し込み片５０９が抜き取られて蓋部５０８が開放する状態であっても、第７緩衝部６１７の係止辺部６１９と第７緩衝部６１８の係止辺部６２０が、それぞれ底部５０１に当接した状態を維持する。そのため、第１緩衝部６１０の開放が規制され、照明ユニット３００が空間５２０内に保持される。本実施の形態によれば、照明ユニット３００の施工に際し、包装箱５００を開封したときに照明ユニット３００が包装箱５００の外に急に飛び出すおそれがなくなる。したがって、施工時の安全性が向上する。
【００７３】
なお、本実施の形態において、包装箱５００は、４つの外装部のうち第１外装部５０３に隣接する２つの外装部のそれぞれに対して第７緩衝部６１７，６１８を有するが、図１８、図１９、図２０及び図２１に示すように、第７緩衝部６１７，６１８の一方のみを有していてもよい。図１８、図１９、図２０及び図２１に示した変形例では、第１緩衝部６１０を開放しやすくなるため、施工時の作業効率が向上する。
【００７４】
実施の形態３．
本実施の形態について、主に実施の形態２との差異を説明する。
【００７５】
本実施の形態に係る包装箱入り物品１００は、実施の形態１及び実施の形態２に係る包装箱入り物品１００と同じように、照明ユニット３００と、付属品４００と、包装箱５００とを備える。本実施の形態では、包装箱５００の構成が実施の形態２と異なる。
【００７６】
図２２、図２３及び図２４を参照して、包装箱５００の構成を説明する。図２２は、包装箱５００の一部を示す図である。図２３は、包装箱５００を構成する板紙のオモテ面を示す図である。図２４は、包装箱５００を構成する板紙のウラ面を示す図である。
【００７７】
本実施の形態において、第１緩衝部６１０の第４緩衝部６１２につながっている側とは反対側の端部には、切り欠き６２１が設けられている。即ち、第１緩衝部６１０は、底部５０１に当接する端辺の一部に切り欠き６２１が形成されている。切り欠き６２１の形状は、本実施の形態では直径２０ｍｍの半円形であるが、手指を差し込んで第１緩衝部６１０を引き出しやすい形状であれば、任意の形状でよい。
【００７８】
本実施の形態によれば、第１緩衝部６１０を開放しやすくなるため、施工時の作業効率が向上する。また、切り欠き６２１が手指を傷つけにくい形状になっているため、施工時の安全性も向上する。
【００７９】
なお、手指の表面に切創等の怪我を確実に負わないように、手袋或いは指サック等の保護具の着用を促す注意喚起表示が切り欠き６２１の近傍に設けられてもよい。
【００８０】
図２５、図２６及び図２７に示すように、第１緩衝部６１０には、切り欠き６２１に代えて、貫通孔６２２が設けられていてもよい。図２５、図２６及び図２７に示した変形例では、貫通孔６２２が、第１緩衝部６１０の第７緩衝部６１７につながっている端部に設けられている。即ち、第１緩衝部６１０は、第７緩衝部６１７との接続端の一部に貫通孔６２２が形成されている。貫通孔６２２の形状は、本例では直径２０ｍｍの半円形であるが、手指を差し込んで第１緩衝部６１０を引き出しやすい形状であれば、任意の形状でよい。本例によれば、第７緩衝部６１７の係止辺部６１９が底部５０１に係止される部分により直接的に作用するため、第１緩衝部６１０をより一層開放しやすくなる。よって、施工時の作業効率がより一層向上する。
【００８１】
なお、手指の表面に切創等の怪我を確実に負わないように、手袋或いは指サック等の保護具の着用を促す注意喚起表示が貫通孔６２２の近傍に設けられてもよい。
【００８２】
図示していないが、第１緩衝部６１０は、片側にある第７緩衝部６１７との接続端の一部だけでなく、別の片側にある第７緩衝部６１８との接続端の一部にも貫通孔６２２が形成されていてよい。その場合、２本の指を使うことができ、第７緩衝部６１７，６１８の係止辺部６１９，６２０が底部５０１に係止される２箇所の部分により直接的に作用するため、第１緩衝部６１０をより一層開放しやすくなる。よって、施工時の作業効率がより一層向上する。
【００８３】
図２８に示すように、第１緩衝部６１０は、中央部付近に貫通孔６２２が形成されていてもよい。貫通孔６２２の形状は、本例では直径２０ｍｍの円形であるが、手指を差し込んで第１緩衝部６１０を引き出しやすい形状であれば、任意の形状でよい。本例によれば、貫通孔６２２の形状を手指先端の形に近づけることができるので、作業性が改善されて第１緩衝部６１０をより一層開放しやすくなる。よって、施工時の作業効率がより一層向上する。
【００８４】
なお、他の例と同様であるが、手指の表面に切創等の怪我を確実に負わないように、手袋或いは指サック等の保護具の着用を促す注意喚起表示が貫通孔６２２の近傍に設けられてもよい。
【００８５】
実施の形態４．
本実施の形態について、主に実施の形態２との差異を説明する。
【００８６】
本実施の形態に係る包装箱入り物品１００は、実施の形態１及び実施の形態２に係る包装箱入り物品１００と同じように、照明ユニット３００と、付属品４００と、包装箱５００とを備える。本実施の形態では、包装箱５００の構成が実施の形態２と異なる。
【００８７】
図２９、図３０、図３１及び図３２を参照して、包装箱５００の構成を説明する。図２９及び図３０は、包装箱入り物品１００を斜め上方から見た図である。図３１は、包装箱５００を構成する板紙のオモテ面を示す図である。図３２は、包装箱５００を構成する板紙のウラ面を示す図である。
【００８８】
本実施の形態において、蓋部５０８には、貫通孔５１２が設けられている。具体的には、蓋部５０８の中央部、より具体的には、付属品４００の収納領域と重なる領域に貫通孔５１２が設けられている。貫通孔５１２の形状は、本実施の形態では円形であるが、楕円形、多角形、星形、長穴等でもよく、蓋部５０８の外側から付属品４００の有無を確認できる形状であれば、任意の形状でよい。貫通孔５１２は、付属品４００が通過しない大きさ及び形状で形成される。
【００８９】
本実施の形態によれば、蓋部５０８が閉じた状態で、付属品４００が収納されていることを確認できる。スリット８００に差し込まれた差し込み片５０９は、スリット８００に係止されて外れないが、出荷前等に行われる付属品４００の収納検査を確実に実施することができ、付属品４００の欠品等を招くおそれがなくなる。
【００９０】
図示していないが、貫通孔５１２は、蓋部５０８に代えて、或いは、蓋部５０８に加えて、第１外装部５０３に設けられていてもよい。具体的には、第１外装部５０３の中央部、より具体的には、付属品４００の収納領域と重なる領域に貫通孔５１２が設けられていてもよい。貫通孔５１２の形状は、第１外装部５０３の外側から付属品４００の有無を確認できる形状であれば、任意の形状でよい。貫通孔５１２は、付属品４００が通過しない大きさ及び形状で形成される。この変形例においても、蓋部５０８が閉じた状態で、付属品４００が収納されていることを確認できる。よって、付属品４００の欠品等を招くおそれがなくなる。
【００９１】
実施の形態５．
本実施の形態について、主に実施の形態２との差異を説明する。
【００９２】
本実施の形態に係る包装箱入り物品１００は、実施の形態１及び実施の形態２に係る包装箱入り物品１００と同じように、照明ユニット３００と、付属品４００と、包装箱５００とを備える。本実施の形態では、包装箱５００の構成が実施の形態２と異なる。
【００９３】
図３３、図３４、図３５及び図３６を参照して、包装箱５００の構成を説明する。図３３は、包装箱５００を斜め上方から見た図である。図３４は、図１に示したＡ−Ａ線を中心線とする包装箱入り物品１００の横断面を示す図である。図３５は、包装箱５００を構成する板紙のオモテ面を示す図である。図３６は、包装箱５００を構成する板紙のウラ面を示す図である。
【００９４】
本実施の形態において、包装箱５００は、第８緩衝部６２４，６２５をさらに有する。
【００９５】
第８緩衝部６２４，６２５は、第７緩衝部６１７，６１８に第７の折り目７０７を介してつながっている。第７の折り目７０７には、第７の折り目７０７の延びる方向に沿って全切加工と内側罫線加工とが交互に施されており、第７の折り目７０７の端部には、罫線加工が施されている。
【００９６】
本実施の形態では、第８緩衝部６２４，６２５が第７緩衝部６１７，６１８と４つの外装部のうち第１外装部５０３に隣接する２つの外装部との間に折り込まれた状態で、第８緩衝部６２４，６２５が第７緩衝部６１７，６１８と第１外装部５０３に隣接する２つの外装部との間に介在している。具体的には、第８緩衝部６２４が第７緩衝部６１７と第２外装部５０４との間に折り込まれた状態で、第８緩衝部６２４が第７緩衝部６１７と第２外装部５０４との間に介在している。第８緩衝部６２５が第７緩衝部６１８と第４外装部５０６との間に折り込まれた状態で、第８緩衝部６２５が第７緩衝部６１８と第４外装部５０６との間に介在している。
【００９７】
このように、本実施の形態では、第８緩衝部６２４が第７緩衝部６１７の外側に、第８緩衝部６２５が第７緩衝部６１８の外側に、それぞれ第７の折り目７０７で折り畳まれている。この状態で包装箱５００を組み立てると、第８緩衝部６２４が第７緩衝部６１７と第２外装部５０４との間に配置され、第８緩衝部６２５が第７緩衝部６１８と第４外装部５０６との間に配置され、それぞれが緩衝機能を発揮する。
【００９８】
本実施の形態では、第７緩衝部６１７，６１８と第８緩衝部６２４，６２５とが２重に緩衝機能を発揮するため、包装箱入り物品１００の剛性が向上する。
【００９９】
本実施の形態では、第２外装部５０４と第７緩衝部６１７との間の隙間を、包装箱５００を構成する板紙の厚さ寸法以下にすることができる。また、第４外装部５０６と第７緩衝部６１８との間の隙間を、包装箱５００を構成する板紙の厚さ寸法以下にすることができる。即ち、第８緩衝部６２４，６２５は、緩衝機能だけでなく、板紙の厚さ寸法以下の空間を形成するためのスペーサとしての機能を併せ持つ。したがって、緩衝用の大きな空間が不要となり、収納効率が向上する。また、包装箱５００を小型化でき、物流効率も向上する。
【０１００】
第２外装部５０４と第７緩衝部６１７との間、及び、第４外装部５０６と第７緩衝部６１８との間で、第８緩衝部６２４，６２５が存在しない領域は、第２外装部５０４及び第４外装部５０６が受けた振動及び衝撃を第７緩衝部６１７，６１８に伝えにくくする効果を発揮する。この効果は、特に、左右方向の振動及び衝撃を抑制する効果として発揮される。
【０１０１】
なお、図示していないが、第８緩衝部６２４，６２５が設けられる代わりに、フラップ部６１５，６１６の一部が折り畳まれた状態でフラップ部６１５，６１６の一部が第７緩衝部６１７，６１８と４つの外装部のうち第１外装部５０３に隣接する２つの外装部との間に介在していてもよい。具体的には、フラップ部６１５の一部が折り畳まれた状態でフラップ部６１５の一部が第７緩衝部６１７と第２外装部５０４との間に介在していてもよい。フラップ部６１６の一部が折り畳まれた状態でフラップ部６１６の一部が第７緩衝部６１８と第４外装部５０６との間に介在していてもよい。この変形例では、フラップ部６１６の一部が第８緩衝部６２４，６２５と同じような緩衝機能を発揮する。フラップ部６１６の一部の具体例は、フラップ部６１５，６１６の半分である。
【０１０２】
なお、フラップ部６１５，６１６の一部を確実に折り畳めるようにするため、切り欠き６１３，６１４は、それぞれフラップ部６１５，６１６の折り畳まれた部分を除く部分と大きさ及び形状が揃っていることが望ましい。
【０１０３】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。具体的には、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【０１０４】
１００  包装箱入り物品、２００  照明装置、２０１  天井、２０２  埋め込み穴、２１０  枠体、２１１  ツバ部、２１２  立ち上がり部、２１３  取り付けバネ保持部、２１４  傾斜部、２１５  開口部、２２０  取り付けバネ、３００  照明ユニット、３１０  光源ユニット、３１１  固定カバー、３１２  光透過性カバー、３２０  電源ユニット、３２１  電源収納ケース、３２２  金属プレート、３２３  電源端子台、３２４  放熱フィン、４００  付属品、５００  包装箱、５０１  底部、５０３  第１外装部、５０４  第２外装部、５０５  第３外装部、５０６  第４外装部、５０８  蓋部、５０９  差し込み片、５１０  切れ込み、５１１  切れ込み、５１２  貫通孔、５２０  空間、６０２  第３緩衝部、６０３  第６緩衝部、６０４  第６緩衝部、６０５  第３緩衝部、６０６  第２緩衝部、６０７  第５緩衝部、６０８  第５緩衝部、６０９  第２緩衝部、６１０  第１緩衝部、６１２  第４緩衝部、６１３  切り欠き、６１４  切り欠き、６１５  フラップ部、６１６  フラップ部、６１７  第７緩衝部、６１８  第７緩衝部、６１９  係止辺部、６２０  係止辺部、６２１  切り欠き、６２２  貫通孔、６２３  貫通孔、６２４  第８緩衝部、６２５  第８緩衝部、７０１  第１の折り目、７０２  第２の折り目、７０３  第３の折り目、７０４  第４の折り目、７０５  第５の折り目、７０６  第６の折り目、７０７  第７の折り目、７１１  折り目、７１２  折り目、７１３  折り目、７１４  折り目、７１５  折り目、７２１  折り目、７２２  折り目、７３１  折り目、８００  スリット。
【図１】
0006579907.tif 000002
【図２】
0006579907.tif 000003
【図３】
0006579907.tif 000004
【図４】
0006579907.tif 000005
【図５】
0006579907.tif 000006
【図６】
0006579907.tif 000007
【図７】
0006579907.tif 000008
【図８】
0006579907.tif 000009
【図９】
0006579907.tif 000010
【図１０】
0006579907.tif 000011
【図１１】
0006579907.tif 000012
【図１２】
0006579907.tif 000013
【図１３】
0006579907.tif 000014
【図１４】
0006579907.tif 000015
【図１５】
0006579907.tif 000016
【図１６】
0006579907.tif 000017
【図１７】
0006579907.tif 000018
【図１８】
0006579907.tif 000019
【図１９】
0006579907.tif 000020
【図２０】
0006579907.tif 000021
【図２１】
0006579907.tif 000022
【図２２】
0006579907.tif 000023
【図２３】
0006579907.tif 000024
【図２４】
0006579907.tif 000025
【図２５】
0006579907.tif 000026
【図２６】
0006579907.tif 000027
【図２７】
0006579907.tif 000028
【図２８】
0006579907.tif 000029
【図２９】
0006579907.tif 000030
【図３０】
0006579907.tif 000031
【図３１】
0006579907.tif 000032
【図３２】
0006579907.tif 000033
【図３３】
0006579907.tif 000034
【図３４】
0006579907.tif 000035
【図３５】
0006579907.tif 000036
【図３６】
0006579907.tif 000037